(57)【要約】【目的】密封端面の接触状態を適正に維持して、良好なメカニカルシール機能を発揮するドライコンタクトメカニカルシールを提供する。【構成】回転軸４に軸線方向移動可能に保持された回転密封環５とシールケース２に固定された静止密封環３との対向端面である密封端面３ａ，５ａが無潤滑の接触状態で相対回転することによりシール機能を発揮するように構成されたドライコンタクトメカニカルシールにおいて、静止密封環３を、密封端面３ａを形成した密封環本体３１とその外周部に密着状態で嵌合された金属製の保持環３２とからなる円環状複合物となし、保持環３２に、シールケース２に形成された供給通路１３から供給されたパージ流体Ｆを当該保持環３２の先端面に開口する噴出口１４ａから回転密封環５に向けて噴出する複数のパージ流体噴出通路１４を形成する。【選択図】図１
2019158025.tif 000002
【特許請求の範囲】
【請求項１】
回転軸に軸線方向移動可能に保持された回転密封環とシールケースに固定された静止密封環との対向端面である密封端面が接触状態で相対回転することによりシール機能を発揮するように構成されたドライコンタクトメカニカルシールであって、
静止密封環を、前記密封端面を形成した密封環本体とその外周部に密着状態で嵌合された金属製の保持環とからなる円環状複合物となし、
当該保持環に、シールケースに形成した供給通路から供給されたパージ流体を当該保持環の先端面に開口する噴出口から回転密封環に向けて噴出する複数のパージ流体噴出通路を形成したことを特徴とするドライコンタクトメカニカルシール。
【請求項２】
回転密封環が前記各パージ流体噴出通路の噴出口に直対向する環状壁面を有するものであり、当該各パージ流体噴出通路がパージ流体を噴出口から当該環状壁面に向けて噴出させるものであることを特徴とする、請求項１に記載するドライコンタクトメカニカルシール。
【請求項３】
前記各パージ流体噴出通路が、パージ流体を当該パージ流体噴出通路の噴出口から回転密封環の外周面に向けて噴出させるものであることを特徴とする、請求項１に記載するドライコンタクトメカニカルシール。
【請求項４】
前記保持環が、前記密封環本体の外周部の一部分であって当該外周部の密封端面側の部分に密着状態で嵌合されたものであることを特徴とする、請求項１〜３の何れかに記載するドライコンタクトメカニカルシール。
【請求項５】
前記保持環が、前記密封環本体の外周部にその全面に亘って密着状態で嵌合されたものであることを特徴とする、請求項１〜３の何れかに記載するドライコンタクトメカニカルシール。
【請求項６】
前記保持環が、前記密封環本体の外周部に焼嵌めにより密着状態で嵌合されたものであることを特徴する、請求項１〜５の何れかに記載するドライコンタクトメカニカルシール。
【請求項７】
前記パージ流体がガスであることを特徴とする、請求項１〜６の何れかに記載するドライコンタクトメカニカルシール。
【請求項８】
前記密封環本体が、硬質の難削材で構成されたものであることを特徴とする、請求項１〜７の何れかに記載するドライコンタクトメカニカルシール。
【発明の詳細な説明】
【技術分野】
【０００１】
本発明は、医薬，食品，化学品，半導体等の分野で使用される攪拌機等の回転機器に装備されるドライコンタクトメカニカルシールに関するものである。
【背景技術】
【０００２】
従来のドライコンタクトメカニカルシールとして、特許文献１及び特許文献２に開示されるように、回転軸に軸線方向移動可能に保持された回転密封環とシールケースの内周部に固定された静止密封環との対向端面である密封端面を無潤滑の接触状態で相対回転させることにより、両密封端面の接触部分の内周側領域である被密封流体領域とその外周側領域である大気領域とを区画して、被密封流体領域の流体（被密封流体）をシールするように構成されたものが周知である。
【先行技術文献】
【特許文献】
【０００３】
【特許文献１】実開平５−２７４３３号公報
【特許文献２】特開２００１−２６７９２号公報
【発明の概要】
【発明が解決しようとする課題】
【０００４】
このようなドライコンタクトメカニカルシールにあっては、両密封端面の接触部分が液体潤滑されないドライ雰囲気（ガス雰囲気）で相対回転されることから、当該接触部分には摩擦熱が発生して、密封環が異常発熱する虞れがある。その結果、密封端面に熱歪が生じて、両密封端面の接触状態が不適正となり、良好なメカニカルシール機能を発揮できない虞れがある。また、被密封流体の温度が氷点以下である場合には、被密封流体が接触する密封環等のメカニカルシール構成部材に結露が生じて、結露により付着した水分が密封端面間に侵入することにより密封端面が異常摩耗し、両密封端面の接触状態が不適正となり、良好なメカニカルシール機能を発揮できない虞れがある。
【０００５】
本発明は、このような問題を生じることなく、両密封端面の接触状態を適正に維持して良好なメカニカルシール機能を発揮することができるドライコンタクトメカニカルシールを提供することを目的とするものである。
【課題を解決するための手段】
【０００６】
本発明は、上記の目的を達成すべく、回転軸に軸線方向移動可能に保持された回転密封環とシールケースに固定された静止密封環との対向端面である密封端面が接触状態で相対回転することにより当該密封端面の接触部分の内周側領域である被密封流体領域をシールするように構成されたドライコンタクトメカニカルシールであって、静止密封環を、前記密封端面を形成した密封環本体とその外周部に密着状態で嵌合された金属製の保持環とからなる円環状複合物となし、当該保持環に、シールケースに形成した供給通路から供給されたパージ流体を当該保持環の先端面に開口する噴出口から回転密封環に向けて噴出する複数のパージ流体噴出通路を形成したことを特徴とするドライコンタクトメカニカルシールを提案する。
【０００７】
かかるドライコンタクトメカニカルシールの好ましい実施の形態にあっては、回転密封環が前記各パージ流体噴出通路の噴出口に直対向する環状壁面を有するものであり、当該各パージ流体噴出通路がパージ流体を噴出口から当該環状壁面に向けて噴出させるものである。各パージ流体噴出通路は、パージ流体を当該パージ流体噴出通路の噴出口から回転密封環の外周面に向けて噴出させるものとすることもできる。
【０００８】
また、前記保持環は、前記密封環本体の外周部の一部分であって当該外周部の密封端面側の部分に密着状態で嵌合されたもの、或は前記密封環本体の外周部にその全面に亘って密着状態で嵌合されたものである。何れの場合にも、前記保持環は、前記密封環本体の外周部に焼嵌めにより密着状態で嵌合させておくことが好ましい。また、前記パージ流体としてはガスを使用することができ、前記密封環本体は硬質の難削材で構成しておくことができる。
【発明の効果】
【０００９】
本発明のドライコンタクトメカニカルシールにあっては、静止密封環の密封環本体が、パージ流体がパージ流体噴出通路を流動することにより放熱、冷却される金属製の保持環に密着していることから、当該密封環本体から保持環への熱移動が効果的に行われて、当該密封環本体に形成された密封端面における熱歪の発生が可及的に防止される。また、パージ流体がパージ流体噴出通路の噴出口から回転密封環に向けて噴出されることから、回転密封環が冷却されて、これに形成された密封端面における熱歪の発生も可及的に防止される。また、被密封流体の温度が氷点以下の場合には、バージ流体による昇温効果によって密封環等における結露の発生が防止されることから、結露による水分の密封端面間への侵入により密封端面が異常摩耗するようなことがない。したがって、本発明のドライコンタクトメカニカルシールによれば、静止密封環の密封端面と回転密封環の密封端面とが適正に接触して、良好なシール機能（メカニカルシール機能）が発揮される。
【図面の簡単な説明】
【００１０】
【図１】図１は、本発明に係るドライコンタクトメカニカルシールの一例を示す断面図である。
【図２】図２は、図１の要部を拡大して示す詳細図である。
【図３】図３は、本発明に係るドライコンタクトメカニカルシールの変形例を示す図２相当の断面図である。
【図４】図４は、本発明に係るドライコンタクトメカニカルシールの他の変形例を示す図２相当の断面図である。
【図５】図５は、本発明に係るドライコンタクトメカニカルシールの更に他の変形例を示す図２相当の断面図である。
【図６】図６は、本発明に係るドライコンタクトメカニカルシールの更に他の変形例を示す図２相当の断面図である。
【発明を実施するための形態】
【００１１】
以下、本発明を実施するための形態を図１及び図２に基づいて具体的に説明する。図１は本発明に係るドライコンタクトメカニカルシールの一例を示す断面図であり、図２は図１の要部を拡大して示す詳細図である。
【００１２】
この実施の形態におけるドライコンタクトメカニカルシールは、医薬，食品，化学，半導体等の分野において使用される攪拌機等の回転機器であってガスを扱う回転機器の軸封手段として使用されるものであり、次のように構成されている。
【００１３】
すなわち、図１に示すドライコンタクトメカニカルシールは、回転機器のハウジング１にシールケース２を取り付け、このシールケース２に静止密封環３を固定し、当該回転機器の回転軸（攪拌軸等）４に回転密封環５をＯリング６を介して軸線方向移動可能に保持し、回転密封環５をスプリング７により静止密封環３へと押圧、附勢して、両密封環３，５の対向端面である密封端面３ａ，５ａが無潤滑の接触状態で相対回転することにより、当該密封端面３ａ，５ａの接触部分の内周側領域である被密封流体領域Ａとその外周側領域である非密封流体領域Ｂとを区画し、被密封流体領域Ａの流体（被密封流体）をシールするように構成されている。この例では、被密封流体領域Ａは当該回転機器の機内領域であり、被密封流体はガスである。また、非密封流体領域Ｂは当該回転機器の機外領域である大気領域である。なお、以下の説明において、軸線とは回転軸４の中心線をいい、軸線方向とは回転軸４の中心線に平行する方向をいう。また、前後とは、図１及び図２における左右をいう。
【００１４】
シールケース２は、図１及び図２に示す如く、ハウジング１の軸封部端面（前端面）に密着状態で取り付けられた円筒体であり、ステンレス鋼（例えば、ＳＵＳ３１６等）等の金属材で構成されている。
【００１５】
静止密封環３は、図１及び図２に示す如く、密封環本体３１とその外周部に密着状態で嵌合された保持環３２とからなる円環状複合物である。
【００１６】
密封環本体３１は、図２に示す如く、外径を一定とする先端部分３１ａと、外径を先端部分３１ａの外径より大径として先端部分３１ａの基端（後端）に連なる中間部分３１ｂと、外径を中間部分３２より小径として中間部分３１ｂの基端（後端）に連なる基端部分３１ｃとからなる円環状の一体成形物である。先端部分３１ａの先端面（前端面）は、軸線に直交する平滑な環状平面である密封端面（以下「静止側密封端面」という）３ａに構成されている。なお、先端部分３１ａの先端側部分の内周面は一定径の円柱面に構成されているが、先端部分３１ａの基端側部分、中間部分３１ｂ及び基端部分３１ｃの内周面は、先端部分３１ａの先端側部分の内周面から漸次大径となる円錐面に構成されている。
【００１７】
保持環３２は、図１に示す如く、薄肉円筒部３２ａとその基端（後端）に連なる厚肉円筒部３２ｂとからなる断面Ｌ字状の円筒体であり、この例では、密封環本体３１の外周部の一部分であって当該外周部の密封端面３ａ側の部分、つまり密封環本体３１の先端部分３１ａの外周部に固着されている。すなわち、保持環３２は、図２に示す如く、薄肉円筒部３２ａ及び厚肉円筒部３２ｂの内周面を密封環本体３１の先端部分３１ａの外周面に密着させると共に厚肉円筒部３２ｂの基端面（後端面）を密封環本体３１の中間部分３１ｂの先端面（前端面）に密着させた状態で、密封環本体３１の外周部（先端部分３１ａの外周部）に嵌合、固着されている。保持環３２の薄肉円筒部３２ａの外径は密封環本体３１の基端部分３１ｃの外径と同一に設定されており、当該薄肉円筒部３２ａの先端面（前端面）は、軸線方向において、密封環本体３１の先端面である静止側密封端面３ａと面一又はほぼ面一とされている。保持環３２の厚肉円筒部３２ｂの外径は、密封環本体３１の中間部分３１ｂの外径と同一に設定されている。
【００１８】
密封環本体３１は、シール条件に応じて選定された適宜の密封環材料で構成されており、この例では硬質の難削材（例えば、アルミナ，炭化珪素，窒化珪素，炭化硼素等のセラミックス、タングステンカーバイド等の超硬合金等）で構成されている。保持環３２は、密封環本体３１の構成材より熱伝導率が高く且つ難削材ではない金属材で構成されているが、かかる金属材としてはメカニカルシールの金属構成部品として一般的に使用されるＳＵＳ３１６等のステンレス鋼等が該当し、この例ではシールケース２と同質の金属材で構成されている。
【００１９】
密封環本体３１の外周部（先端部分３１ａの外周部）への保持環３２の固着は、焼嵌め、圧入等、適宜の周知方法によって行うことができるが、この例では、保持環３２を焼嵌めにより密封環本体３１の外周部に密着状態で嵌合させている。
【００２０】
静止密封環３は、図１及び図２に示す如く、シールケース２の内周部に第１及び第２Ｏリング８，９を介して嵌合、固定されている。すなわち、第１Ｏリング８は、密封環本体３１の中間部分３１ｂとハウジング１の内周部に形成された環状突起１ａとの対向端面間に嵌合させた状態で、密封環本体３１の基端部分３１ｃとシールケース２の内周部との対向周面間に圧縮状態で装填されており、密封環本体３１とシールケース２との間をシールしている。第２Ｏリング９は、保持環３２の厚肉円筒部３２ｂとシールケース２の内周部に形成された環状突起２ａとの対向端面間に嵌合させた状態で、保持環３２の薄肉部分３２ａとシールケース２の内周部との対向周面間に圧縮状態で装填されており、保持環３２とシールケース２との間をシールしている。なお、密封環本体３１の外周部に保持環３２を密着させてなる静止密封環３は、保持環３２を有さず密封環本体３１のみで構成した静止密封環と同一又はほぼ同一の形状をなすように構成されている。
【００２１】
回転軸４はハウジング１から大気領域Ｂへと延びてシールケース２及び静止密封環３を同心状に貫通しているが、この回転軸４には、図１に示す如く、静止密封環３より大気領域Ｂ側（前側）に配して、ステンレス鋼（例えば、ＳＵＳ３１６等）等の金属材で構成されたスプリングリテーナ１０が固定されている。スプリングリテーナ１０は、スプリング保持部１０ａとその先端内周部（後端内周部）から突出する密封環保持部１０ｂとからなる断面Ｌ字状の円筒体であり、適当数のセットスクリュー（図示せず）により回転軸４に固定されている。
【００２２】
回転密封環５は、図１及び図２に示す如く、回転軸５に軸線方向移動可能に嵌合された本体部５ｂとその先端面（後端面）から静止密封環３方向（後方）に突出するノーズ部５ｃと本体部５ｂの基端面（前端面）から連なってスプリングリテーナ１０の密封環保持部１０ｂに軸線方向移動可能に嵌合された二次シール部５ｄとからなる円環状体であり、二次シール部５ｄと回転軸４との対向周面間にＯリング６を装填したシール状態で回転軸４に軸線方向移動可能に保持されている。回転密封環５は、静止密封環３の密封環本体３１の構成材及びシール条件に応じて選定された適宜の密封環材料（例えば、カーボン、ＰＴＦＥ（ポリテトラフルオロエチレン）、充填材入りのＰＴＦＥ等のフッ素樹脂、ＰＥＥＫ（ポリエーテエーテルケトン）等のエンジニアリングプラスチック、ポリイミド樹脂等）で構成されている。回転密封環５には、二次シール部５ｄの基端面（前端面）に接触すると共に当該二次シール部５ｄの基端側部分（前端側部分）の外周面に接触する状態で、断面Ｌ字状をなす円筒状の金属製（ＳＵＳ３１６等のステンレス鋼等）のドライブカラー１１が取り付けられている。
【００２３】
回転密封環５のノーズ部５ｃは内外径を一定とする円筒状のもので、その先端面は軸線に直交する平滑な環状平面である密封端面（以下「回転側密封端面」という）５ａに構成されている。回転側密封端面５ａの外径は静止側密封端面３ａの外径より小径に設定されており、回転側密封端面５ａの内径は静止側密封端面３ａの内径より大径に設定されている。回転密封環５の本体部５ｂの外径は、回転密封環５のノーズ部５ｃの外径及び静止密封環３の密封環本体３１の先端部分３１ａの外径より大径であって静止密封環３の保持環３２の薄肉円筒部３２ａの外径と同一又はほぼ同一に設定されていて、当該回転密封環５の本体部５ｂの先端面には、回転側密封端面５ａの外周側において保持環３２の先端面に直対向して軸線に直交する環状壁面５ｅが形成されている。なお、回転密封環５は、ドライブカラー１１に取り付けたドライブピン１２をスプリングリテーナ１０のスプリング保持部１０ａに形成した貫通孔１０ｃに挿通させることにより、軸線方向移動を所定範囲で許容した状態で回転軸４に対して相対回転不能に保持されている。
【００２４】
スプリング７は、図１に示す如く、スプリングリテーナ１０のスプリング保持部１０ｂと回転密封環５に固定されたドライブカラー１１との間に円周方向に等間隔を隔てて装填した複数（１つのみ図示）の圧縮コイルスプリングで構成されており、両密封端面３ａ，５ａを接触させるべく、回転密封環５を静止密封環３へと押圧附勢している。
【００２５】
而して、保持環３２には、図１に示す如く、シールケース２に形成した供給通路１３から供給されたパージ流体Ｆを当該保持環３２の先端面に開口する噴出口１４ａから回転密封環５に向けて噴出する複数のパージ流体噴出通路１４が形成されている。
【００２６】
供給通路１３は、図１に示す如く、シールケース２にその外周部から内周部へと径方向に貫通する形態で形成されており、その一端部（上流端部）にはパージ流体Ｆの供給配管１５が接続されており、その他端部（下流端部）にはシールケース２と静止密封環３との対向周面間の環状空間であって両Ｏリング８，９でシールされた環状空間１３ａが形成されている。
【００２７】
各パージ流体噴出通路１４は、図２に示す如く、保持環３２の薄肉円筒部３２ａの先端面（前端面）に開口された噴出口１４ａから保持環３２の厚肉円筒部３２ｂの外周面へと貫通する断面円形のキリ穴であり、保持環３２の薄肉円筒部３２ａ及び厚肉円筒部３２ｂに形成されて軸線方向に延びる下流側部分１４ｂと、当該下流側部分１４ｂの基端（後端）から厚肉円筒部３２の径方向に延びて前記供給通路１３の下流端部の環状空間１３ａに連通接続された上流側部分１４ｃとからなる。複数のパージ流体噴出通路１４は保持環３２の円周方向に等間隔を隔てて並列状に配置されており、当該パージ流体噴出通路１４の噴出孔１４ａは円周方向に等間隔を隔てた状態で回転密封環５の前記環状壁面５ｅに直対向している。
【００２８】
したがって、供給配管１５から供給通路１３に供給されたパージ流体Ｆは、供給通路１３から各パージ流体噴出通路１４を流動して、各噴出口１４ｃからこれに直対向する回転密封環５の環状壁面５ｅに向けて噴出される。パージ流体Ｆとしては、被密封流体がこれが接触する密封環３，５等のメカニカルシール構成部材に結露を生じる流体（氷点以下の温度のガス等であり、以下「結露発生流体」という）である場合には、常温又は常温以上に加温された流体が使用され、このような結露を生じない流体（例えば、常温以上の温度のガス等であって、以下「非結露発生流体」という）である場合には、常温又は常温以下に冷却された流体が使用されるが、何れの場合にも、パージ流体として大気領域Ｂに放出して支障のない空気等のガス又は水等の液体をシール条件等に応じて適宜に選択使用することができる。この例では、パージ流体Ｆとして常温の加圧空気を使用している。
【００２９】
以上のように構成されたドライコンタクトメカニカルシールにあって、被密封流体が非結露発生流体である場合には、パージ流体Ｆが、各パージ流体噴出通路１４を上流側部分１４ｃから下流側部分１４ｂへと流動して、下流側部分１４ｂの開口端部である噴出口１４ａから回転密封環５の環状壁５ｅに向けて噴出されることにより、両密封環３，５が効果的に冷却され、両密封端面３ａ，５ａにおける熱歪の発生が可及的に防止される。
【００３０】
すなわち、静止密封環３にあっては、静止側密封端面３ａが形成された密封環本体３１に発生した熱は、密封環本体３１に密着する金属製の保持環３２へと伝熱、放熱される。このとき、保持環３２は密封環本体３１の外周部に密着状態で嵌合されていることから、密封環本体３１の保持環３２への伝熱、放熱が円滑且つ迅速に行われる。
【００３１】
一方、保持環３２は、これに形成された複数のパージ流体噴出通路１４を流動するパージ流体によって効果的に冷却される。特に、複数のパージ流体噴出通路１４が保持環３２の円周方向に等間隔を隔てて配置されていることにより、パージ流体噴出通路１４を流動するパージ流体による保持環３２の冷却は円周方向において均一に行われる。
【００３２】
したがって、静止密封環３の密封環本体３１からこれに密着する金属製の保持環３２への伝熱、放熱は円周方向に均一に且つ効果的に行われ、密封環本体３１が良好に冷却されて、密封環本体に形成された静止側密封端面３ａにおける熱歪の発生が可及的に防止される。
【００３３】
また、回転密封環５にあっては、パージ流体Ｆが各パージ流体噴出通路１４の噴出口１４ａから回転密封環５に向けて噴出されるから、パージ流体Ｆの接触によって冷却される。特に、パージ流体Ｆが各パージ流体噴出通路１４の噴出口１４ａから回転密封環５の環状壁５ｅに向けて噴出されると、パージ流体Ｆが環状壁面５ｅに衝突することによって、図２に示す如く、回転密封環５のノーズ部５ｃの外周側領域であって環状壁面５ｅと静止側密封端面３ａとの間に形成された環状空間Ｃにおいてパージ流体Ｆによる攪拌、循環流ｆが形成される。その結果、回転密封環５の環状壁面５ｅ及びノーズ部５ｃの外周面並びに静止側密封端面３ａにパージ流体Ｆが十分に接触して、ノーズ部５ｃに形成された回転側密封端面５ａ及び静止側密封端面３ａが効果的に冷却される。しかも、複数のパージ流体噴出通路１４の噴出口１４ａが保持環３２の円周方向に均等に配置されていることから、両密封端面３ａ，５ａの円周方向における冷却が均一に行われ、密封端面３ａ，５ａにおける熱歪の発生がより効果的に防止される。
【００３４】
したがって、上記したドライコンタクトメカニカルシールにあっては、両密封端面３ａ，５ａが無潤滑状態で接触しているにも拘わらず、両密封端面３ａ，５ａが熱歪を生じることなく適正な接触状態で相対回転して、良好なシール機能を発揮することができる。また、金属製の保持環３２を密封環本体３１の外周部の一部分（先端部分３１ａの外周部）に密着させて、保持環３２が被密封流体に接触しないようにしているから、両密封環３，５を被密封流体（非結露発生流体）との接触により当該被密封流体が金属汚染しない材料で構成しておくことにより、金属汚染を嫌う非結露発生流体を扱う回転機器の軸封手段としても好適に使用することができる。
【００３５】
ところで、静止密封環を保持環３２を有さず密封環本体のみで構成した単一成形物となし、これにパージ流体噴出通路を形成して、静止密封環をパージ流体により直接冷却することも考えられるが、静止密封環が前記したような硬質の難削材で構成されている場合、静止密封環にパージ流体噴出通路を形成（キリ穴加工）することは困難である。また、かかる場合にあって、静止密封環にパージ流体噴出通路１４を形成しておかずとも、静止密封環が金属製のシールケースに嵌合されていることから、静止密封環からシールケースに伝熱、放熱されることも考えられる。しかし、図２を参照すれば理解されるように、静止密封環とシールケースとは、Ｏリングを介在させる構造上、密着せず、静止密封環からシールケースへの伝熱、放熱を期待することはできない。また、静止密封環とシールケースとの間にはＯリングが介在していることから、Ｏリングを介して静止密封環からシールケースへと伝熱、放熱される可能性はあるが、Ｏリングと静止密封環及びシールケースとの接触面積（伝熱、放熱面積）は極く僅かであるから、Ｏリングを介しての伝熱、放熱は殆ど期待できない。
【００３６】
また、回転密封環５は回転するものであるから、静止状態にある静止密封環に比して放熱効果の高いものであるが、回転密封環５が熱により寸法変化が生じ易いＰＴＦＥ等で構成されている場合には、例えば高負荷、高温条件下では回転による放熱効果のみでは外径側に変形し、静止側密封端面３ａに対する回転側密封端面５ａの接触状態が変化して安定したメカニカルシール機能を発揮できなくなる虞れがある。しかし、上記した如く、パージ流体Ｆを回転密封環５に向けて噴出させるようにすると、回転による放熱効果に加えてパージ流体Ｆによる放熱、冷却効果が発揮されることから、回転密封環５が熱変形を生じ易いＰＴＦＥ等で構成されている場合にも、高負荷、高温条件下で良好なメカニカルシール機能を発揮することができる。
【００３７】
また、上記ドライコンタクトメカニカルシールにあって、被密封流体が結露発生流体である場合には、パージ流体Ｆが、各パージ流体噴出通路１４を上流側部分１４ｃから下流側部分１４ｂへと流動して、下流側部分１４ｂの開口端部である噴出口１４ａから回転密封環５の環状壁５ｅに向けて噴出されることにより、両密封環３，５が昇温されて結露の発生が防止され、両密封端面３ａ，５ａ間に結露による水分が侵入して密封端面３ａ，５ａが異常摩耗するようなことがない。
【００３８】
すなわち、静止密封環３にあっては、金属製の保持環３２が密封環本体３１の外周部に密着状態で嵌合されていることから、保持環３２のパージ流体噴出通路１４を流動するパージ流体Ｆにより密封環本体３１が昇温されて、結露の発生が効果的に防止される。また、回転密封環５にあっては、パージ流体Ｆが各パージ流体噴出通路１４の噴出口１４ａから回転密封環５に向けて噴出されるから、パージ流体Ｆの接触によって昇温されて、結露の発生が防止される。特に、パージ流体Ｆが各パージ流体噴出通路１４の噴出口１４ａから回転密封環５の環状壁５ｅに向けて噴出されると、パージ流体Ｆが環状壁面５ｅに衝突することによって、図２に示す如く、回転密封環５のノーズ部５ｃの外周側領域であって環状壁面５ｅと静止側密封端面３ａとの間に形成された環状空間Ｃにおいてパージ流体Ｆによる攪拌、循環流ｆが形成される。その結果、回転密封環５の環状壁面５ｅ及びノーズ部５ｃの外周面並びに静止側密封端面３ａにパージ流体Ｆが十分に接触して、ノーズ部５ｃに形成された回転側密封端面５ａ及び静止側密封端面３ａが効果的に昇温され、結露の発生ば防止される。
【００３９】
したがって、上記したドライコンタクトメカニカルシールにあっては、被密封流体が結露発生流体である場合にも、結露による水分が密封端面３ａ，５ａ間に侵入して密封端面３ａ，５ａが異常摩耗するようなことがなく、密封端面３ａ，５ａが適正な接触状態で相対回転して、良好なメカニカルシール機能を発揮することができる。また、金属製の保持環３２を密封環本体３１の外周部の一部分（先端部分３１ａの外周部）に密着させて、保持環３２が被密封流体に接触しないようにしているから、両密封環３，５を被密封流体（結露発生流体）との接触により当該被密封流体が金属汚染しない材料で構成しておくことにより、金属汚染を嫌う結露発生流体を扱う回転機器の軸封手段としても好適に使用することができる。
【００４０】
また、回転密封環５を軸線方向移動可能に保持するＯリング６としては、氷点以下の被密封流体（結露発生流体）に対する耐熱性を有するものが使用されるが、被密封流体の温度によっては耐熱性を超えて劣化し、Ｏリング６による回転密封環５の追従性に悪影響を及ぼす虞れがある。しかし、上記した如くパージ流体Ｆによる回転密封環５の昇温効果によりＯリング６の劣化を防止して、回転密封環５の追従性を良好に維持することができ、このことによっても密封端面３ａ，５ａの接触状態が適正に保持されることになる。
【００４１】
以上のように本発明のドライコンタクトメカニカルシールによれば、被密封流体が非結露発生流体及び結露発生流体の何れである場合にも、密封端面３ａ，５ａが適正な接触状態で相対回転して、良好且つ安定したメカニカルシール機能を発揮させることができる。
【００４２】
なお、本発明は上記した実施の形態に限定されるものではなく、本発明の基本原理を逸脱しない範囲において適宜に改良，変更することができる。
【００４３】
例えば、各パージ流体噴出通路１４は、図３に示す如く、下流側部分１４ｂを上流側部分１４ｃとの接続部から保持環３２の内周方向に傾斜するように形成して、噴出口１４ａから噴出されるパージ流体Ｆが回転密封環５の環状壁面５ｅに斜めに衝突するように構成してもよい。このようにすれば、各パージ流体噴出通路１４の噴出口１４ａから噴出されたパージ流体Ｆが回転密封環５の環状壁面５ｅと静止側密封端面３ａとの間の環状空間Ｃにおいてより効果的に攪拌、循環し、その攪拌、循環流ｆにより両密封端面３ａ，５ａが非結露発生流体の場合にはより効果的に冷却され、結露発生流体の場合にはより効果的に昇温、結露防止が行われる。
【００４４】
また、回転密封環５が保持環３２の先端面に直対向する環状壁面を有しないものである場合或は本体部５ｂの外径が保持環３２の外径と同一又はほぼ同一である場合には、各パージ流体噴出通路１４を、図４に示す如く、パージ流体Ｆを噴出口１４ａから回転密封環５の外周面、例えば本体部５ｂの外周面５ｆに向けて噴出するように構成しておくことができる。かかる場合、各パージ流体噴出通路１４の噴出口１４ａから噴出されたパージ流体Ｆによっては静止側密封端面３ａが直接的に冷却、昇温されることはないが、当該パージ流体Ｆによる回転側密封環５及び回転側密封端面５ａに対する冷却効果、昇温効果（結露発生防止効果）は図２又は図３に示したものと同等に発揮される。
【００４５】
また、被密封流体が金属汚染を嫌う流体でない場合には、金属製の保持環３２を密封環本体３１の外周部にその全面に亘って密着状態で嵌合させておくことができる。例えば、図５又は図６に示す如く、保持環３２を、第１薄肉円筒部３２ａとその基端に連なる厚肉円筒部３２ｂとその基端に連なる第２薄肉円筒部３２ｃとからなる断面Ｔ字状の円筒体に構成して、これら円筒部３２ａ、３２ｂ及び３２ｃの内周面を密封環本体３１の外周面に全面的に密着させた状態で、焼嵌め等により密封環本体３１の外周部に嵌合、固着させる。保持環３２の第１及び第２薄肉円筒部３２ａ，３２ｃの外径は同一に設定されており、第１薄肉円筒部３２ａの先端面は、軸線方向において、密封環本体３１の先端面である静止側密封端面３ａと面一又はほぼ面一とされている。静止密封環３は、第１及び第２Ｏリング８，９を、保持環３２の厚肉円筒部３２ｂとハウジング１の内周部に形成された環状突起１ａ及びシールケース２の内周部に形成された環状突起２ａとの対向端面間に嵌合させた状態で、第１及び第２薄肉円筒部３２ａ，３２ｃとシールケース２の内周部との対向周面間に圧縮状態で装填させることにより、シールケース２の内周部にこれとの間をシールした状態で嵌合、固定されている。
【００４６】
而して、当該保持環３２には、図５又は図６に示す如く、第１薄肉円筒部３２ａの先端面から厚肉円筒部３２ｂの外周面へと貫通する複数のパージ流体噴出通路１４が形成されている。ここに、図５に示すものでは、各パージ流体噴出通路１４が図２に示すものと同様形態をなしており、パージ流体Ｆが各パージ流体噴出通路１４の噴出孔１４ａから回転密封環５の環状壁面５ｅに向けて噴出される。また、図６に示すものでは、各パージ流体噴出通路１４が図４に示すものと同様形態をなしており、パージ流体Ｆが各パージ流体噴出通路１４の噴出孔１４ａから回転密封環５の外周面（本体部５ｂの外周面）５ｆに向けて噴出される。
【００４７】
図５に示すものでは図２に示すものと同等の放熱、冷却効果又は昇温による結露発生防止効果が得られ、図６に示すものでは図４に示すものと同等の放熱、冷却効果又は昇温による結露発生防止効果が得られるが、図５及び図６に示すものでは、保持環３２が密封環本体３１の外周部に全面に亘って密着しており、両者３１，３２の接触面がより大きくなっているため、密封環本体３１から金属製の保持環３２への伝熱、放熱効果又は昇温による結露発生防止効果が増大し、密封環本体３１がより効果的に冷却又は昇温される。また、密封環本体３１の外周面が図２及び図４に示すものに比してシンプルな円柱面形状となっていることから、密封環本体３１が上記した難削材で構成される場合にも、当該密封環本体３１の製作が容易となり、焼嵌め等による保持環３２の密封環本体３１への嵌合も容易となる。なお、図３〜図６に示す各ドライコンタクトメカニカルシールの構成は、上記した点を除いて、図１及び図２に示すドライコンタクトメカニカルシールと同一構成をなし且つ同一機能を有するものである。
【００４８】
また、上記した各実施の形態では、回転密封環５を回転側密封端面５ａが形成されたノーズ部５ｃを有するものとしたが、特許文献２に示されたものと同様に、回転密封環５をノーズ部を有しないものとすると共に静止密封環３の密封環本体３１をノーズ部を有する形状となし、このノーズ部の先端面を静止側密封端面３ａに構成するようにすることも可能である。また、回転密封環５のノーズ部５ｃは、特許文献１に示されたものと同様に、内周面及び／外周面をテーパ面とする形状となすことも可能である。
【００４９】
また、本発明のドライコンタクトメカニカルシールは、タンデムシールやダブルシールの一次シール及び／又は二次シールとしても使用することができる。また、本発明のドライコンタクトメカニカルシールは、密封端面３ａ，５ａの接触部分の内周側領域を大気領域等の非密封流体領域とし、その外周側領域を機内領域等の被密封流体領域とする場合にも適用することができる。但し、密封端面３ａ，５ａの外周側領域を被密封流体領域とする場合にあっては、パージ流体Ｆとして被密封流体に混入しても支障のないガス等を使用する必要がある。
【符号の説明】
【００５０】
２      シールケース
３      静止密封環
３ａ    静止側密封端面（静止密封環の密封端面）
４      回転軸
５      回転密封環
５ａ    回転側密封端面（回転密封環の密封端面）
５ｅ    回転密封環の環状壁面
５ｆ    回転密封環の外周面
１３    供給通路
１４    パージ流体噴出通路
１４ａ  噴出口
３１    密封環本体
３２    保持環
Ｆ      パージ流体
【図１】
2019158025.tif 000003
【図２】
2019158025.tif 000004
【図３】
2019158025.tif 000005
【図４】
2019158025.tif 000006
【図５】
2019158025.tif 000007
【図６】
2019158025.tif 000008